(57)【要約】【課題】測定データを比較する比較データを適切に設定する。【解決手段】設備管理装置（サーバ２００）は、複数のクライアントの設備に配置されたセンサが測定した、クライアントを識別するクライアント識別情報が付与された測定データを、ネットワークを介して取得する取得部（通信制御部２３０）と、クライアントを分類するクライアント分類情報によって分類されたクライアントグループごとに、過去の測定データをまとめて、比較データを生成する比較生成部２３４と、最新の測定データと、比較データとを比較するデータ比較部２３６と、比較結果を出力する出力部２３８と、を備える。【選択図】図２
2019067262.tif 000002
【特許請求の範囲】
【請求項１】
複数のクライアントの設備に配置されたセンサが測定した、前記クライアントを識別するクライアント識別情報が付与された測定データを、ネットワークを介して取得する取得部と、
前記クライアントを分類するクライアント分類情報によって分類されたクライアントグループごとに、過去の前記測定データをまとめて、比較データを生成する比較生成部と、
最新の前記測定データと、前記比較データとを比較するデータ比較部と、
前記比較結果を出力する出力部と、
を備える設備管理装置。
【請求項２】
前記比較結果には、前記設備のメンテナンスの要否、または、前記設備の異常の有無を示す情報が含まれる請求項１に記載の設備管理装置。
【請求項３】
前記測定データには、前記設備を識別する設備識別情報が付与され、
前記比較生成部は、前記クライアントグループそれぞれについて、前記設備を分類する設備分類情報によって分類された設備グループごとに、過去の前記測定データをまとめて、前記比較データを生成する請求項１または２に記載の設備管理装置。
【請求項４】
複数のクライアントの設備に配置されたセンサが測定した、前記クライアントを識別するクライアント識別情報が付与された測定データを、ネットワークを介して取得する工程と、
前記クライアントを分類するクライアント分類情報によって分類されたクライアントグループごとに、過去の前記測定データをまとめて、比較データを生成する工程と、
最新の前記測定データと、前記比較データとを比較する工程と、
前記比較結果を出力する工程と、
を含む設備管理方法。
【請求項５】
コンピュータを、
複数のクライアントの設備に配置されたセンサが測定した、前記クライアントを識別するクライアント識別情報が付与された測定データを、ネットワークを介して取得する取得部と、
前記クライアントを分類するクライアント分類情報によって分類されたクライアントグループごとに、過去の前記測定データをまとめて、比較データを生成する比較生成部と、
最新の前記測定データと、前記比較データとを比較するデータ比較部と、
前記比較結果を出力する出力部と、
して機能させるプログラム。
【発明の詳細な説明】
【技術分野】
【０００１】
本発明は、ネットワークを介してセンサの測定データを取得する設備管理装置、設備管理方法、および、プログラムに関する。
【背景技術】
【０００２】
従来、工場内の設備に配されたセンサの測定データを、ネットワークを介してサーバに蓄積する設備管理システムが普及している。例えば、特許文献１に記載された技術では、測定データと、測定データの移動平均値との差分が基準値外となった回数が所定の数を超えると、異常と判定される。
【先行技術文献】
【特許文献】
【０００３】
【特許文献１】特開２０１５−１１５５４０号公報
【発明の概要】
【発明が解決しようとする課題】
【０００４】
ところで、特許文献１に記載の技術では、測定開始当初は、過去の測定データがないため、測定データを比較する比較データ（特許文献１では、例えば、測定データの移動平均値）が適切に設定されない。
【０００５】
本発明は、このような課題に鑑み、測定データを比較する比較データを適切に設定することが可能な設備管理装置、設備管理方法、および、プログラムを提供することを目的としている。
【課題を解決するための手段】
【０００６】
上記課題を解決するため、本発明の設備管理装置は、複数のクライアントの設備に配置されたセンサが測定した、クライアントを識別するクライアント識別情報が付与された測定データを、ネットワークを介して取得する取得部と、クライアントを分類するクライアント分類情報によって分類されたクライアントグループごとに、過去の測定データをまとめて、比較データを生成する比較生成部と、最新の測定データと、比較データとを比較するデータ比較部と、比較結果を出力する出力部と、を備える。
【０００７】
比較結果には、設備のメンテナンスの要否、または、設備の異常の有無を示す情報が含まれてもよい。
【０００８】
測定データには、設備を識別する設備識別情報が付与され、比較生成部は、クライアントグループそれぞれについて、設備を分類する設備分類情報によって分類された設備グループごとに、過去の測定データをまとめて、比較データを生成してもよい。
【０００９】
上記課題を解決するため、本発明の設備管理方法は、複数のクライアントの設備に配置されたセンサが測定した、クライアントを識別するクライアント識別情報が付与された測定データを、ネットワークを介して取得する工程と、クライアントを分類するクライアント分類情報によって分類されたクライアントグループごとに、過去の測定データをまとめて、比較データを生成する工程と、最新の測定データと、比較データとを比較する工程と、比較結果を出力する工程と、を含む。
【００１０】
上記課題を解決するため、本発明のプログラムは、コンピュータを、複数のクライアントの設備に配置されたセンサが測定した、クライアントを識別するクライアント識別情報が付与された測定データを、ネットワークを介して取得する取得部と、クライアントを分類するクライアント分類情報によって分類されたクライアントグループごとに、過去の測定データをまとめて、比較データを生成する比較生成部と、最新の測定データと、比較データとを比較するデータ比較部と、比較結果を出力する出力部と、して機能させる。
【発明の効果】
【００１１】
本発明によれば、測定データを比較する比較データを適切に設定することが可能となる。
【図面の簡単な説明】
【００１２】
【図１】設備管理システムの概略的な構成を示す図である。
【図２】サーバの概略的な構成を示すブロック図である。
【図３】比較データを説明するための図である。
【図４】設備管理処理の流れを示すフローチャートである。
【００１３】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１４】
図１は、設備管理システム１００の概略的な構成を示す図である。図１に示すように、設備管理システム１００は、センサ１１０と、中継装置１２０と、サーバ２００（設備管理装置）とを含んで構成される。
【００１５】
センサ１１０は、例えば、工場などの複数のクライアントの施設１３０内の複数の設備１３２にそれぞれ設けられる。センサ１１０は、Ｂｌｕｅｔｏｏｔｈ（登録商標）、無線ＬＡＮ（Local Area Network）等の近距離無線通信が可能であり、設備１３２の測定対象を測定し、測定データを近距離無線通信によって、施設１３０ごとに設けられた中継装置１２０に送信する。また、センサ１１０と中継装置１２０との間の通信は、無線通信に限らず、有線通信であってもよい。ここで、複数のセンサ１１０が互いに通信可能なアドホックモードであってマルチホップ通信が行われてもよい。中継装置１２０が通信を統括するインフラストラクチャモードであってもよい。
【００１６】
ネットワーク１４０は、例えば、インターネット、携帯電話網やＰＨＳ網等を含む通信網である。中継装置１２０は、ネットワーク１４０に接続可能であって、複数のセンサ１１０から送信された測定データを、ネットワーク１４０を介してサーバ２００に送信する。
【００１７】
サーバ２００は、ネットワーク１４０を介して、複数のクライアントの施設１３０の中継装置１２０との通信を確立する。サーバ２００は、複数の施設１３０の中継装置１２０から送信された測定データを収集して、測定データの解析を行う。
【００１８】
（サーバ２００）
図２は、サーバ２００の概略的な構成を示すブロック図である。サーバ２００は、通信部２１０と、記憶部２１２と、中央制御部２１４とを含んで構成される。通信部２１０は、中継装置１２０とネットワーク１４０を通じた通信を確立する。記憶部２１２は、ＲＯＭ、ＲＡＭ、フラッシュメモリ、ＨＤＤ等で構成され、サーバ２００に用いられるプログラムや各種データを記憶する。
【００１９】
中央制御部２１４は、ＣＰＵやＤＳＰで構成され、記憶部２１２に格納されたプログラムを用い、サーバ２００全体を制御する。また、中央制御部２１４は、通信制御部２３０（取得部）、記憶制御部２３２、比較生成部２３４、データ比較部２３６、出力部２３８としても機能する。
【００２０】
通信制御部２３０は、通信部２１０を制御し、中継装置１２０から測定データを取得する。記憶制御部２３２は、取得された測定データを記憶部２１２に記憶させる。比較生成部２３４は、記憶部２１２に記憶された過去の測定データから比較データを生成する。
【００２１】
測定データには、クライアントを識別するクライアント識別情報と、設備１３２を識別する設備識別情報が付与されている。クライアント識別情報は、例えば、中継装置１２０によって測定データに付与される。設備識別情報は、例えば、センサ１１０によって測定データに付与される。
【００２２】
記憶部２１２には、クライアントをクライアントグループに分類するクライアント分類情報、および、設備１３２を設備グループに分類する設備分類情報が予め記憶されている。
【００２３】
クライアント分類情報は、クライアントを、所定の規則（例えば、業種、設備１３２の所在地の地域、設備１３２の規模）によって分類するための情報である。クライアント分類情報に基づいて、複数のクライアントが、例えば、業種ごとのクライアントグループに分類される。また、複数のクライアントは、クライアント分類情報に基づいて、例えば、設備１３２の所在地の地域ごと、または、設備１３２ごとのクライアントグループに分類されてもよい。複数のクライアントは、クライアント分類情報に基づいて、例えば、業種および設備１３２の所在地の地域ごとに分類されてもよいし、設備１３２の所在地の地域および設備１３２の規模ごとに分類されてもよいし、設備１３２の規模および業種ごとに分類されてもよい。複数のクライアントは、クライアント分類情報に基づいて、例えば、業種、設備１３２の所在地の地域、および、設備１３２ごとのクライアントグループに分類されてもよい。例えば、１のクライアントが、複数のクライアントグループに重複して分類されてもよい。
【００２４】
また、設備分類情報は、設備１３２を、所定の規則（例えば、種類）によって分類するための情報である。設備分類情報に基づいて、複数の設備１３２が種類ごとの設備グループに分類される。
【００２５】
比較生成部２３４は、記憶部２１２から測定データを読み出し、クライアント識別情報およびクライアント分類情報に基づいて、測定データをクライアントグループごとに分類する。例えば、上記のように、１のクライアントが複数のクライアントグループに重複して分類される場合、測定データは、複数のクライアントグループに重複して分類されることになる。比較生成部２３４は、クライアントグループごとに分類された測定データを、設備識別情報および設備分類情報に基づいて、設備グループに分類する。比較生成部２３４は、クライアントグループそれぞれについて、同じ設備グループに分類された過去の測定データをまとめて、比較データを生成する。
【００２６】
すなわち、比較生成部２３４は、対象のクライアントの過去の測定データと、同業種の複数のクライアントの同種の設備１３２において測定された過去の測定データを、１つの設備１３２の測定データと見なして、比較データを生成する。例えば、それぞれのクライアントグループには、優先度を示す優先順位が予め設定される。対象のクライアントが複数のクライアントグループに分類される場合、比較データとして選択されるクライアントグループが、優先順位によって決定される。ただし、クライアントグループは、優先順位以外の手段で決定されてもよい。
【００２７】
図３は、比較データを説明するための図である。図３では、例えば、設備１３２においてガスが使用され、センサ１１０によって、ガス使用量の測定データが生成される場合を例に挙げる。
【００２８】
図３において、測定値は、対象となるクライアントの施設１３０の設備１３２において、センサ１１０が測定した測定データが示す値（例えば、設備１３２の１日のガス使用量）である。平均値、第１閾値、第２閾値は、対象のクライアントの過去の測定データと、同業種のクライアントの同種の設備１３２の過去の測定データから生成された比較データである。平均値は、過去の測定データの日ごとの平均値である。第１閾値は、平均値に対して、所定値を減算したものである。第２閾値は、平均値に対して、所定値を加算したものである。ここで、比較生成部２３４は、例えば、過去の測定データのバラつきから、所定値を統計的に導出する。
【００２９】
ただし、測定データや比較データとして、１時間のガス使用量が示されてもよいし、１分のガス使用量が示されてもよい。また、測定データや比較データは、ガス使用量に限らず、電気使用量が示されてもよいし、水使用量が示されてもよいし、その他の流体の流量が示されてもよいし、炉温度が示されてもよい。
【００３０】
図３に示すグラフでは、測定値は、最新値（図中、測定値のうち、最も右側の値）の他に、同一年内の過去の測定データの値も時系列に示される。同一年内の過去の測定データに合わせて、対応する平均値、第１閾値、第２閾値も時系列に示される。
【００３１】
データ比較部２３６は、最新の測定データ（上記の最新値）と、比較データ（図３中、最新値と同じ日付の第１閾値、第２閾値）とを比較する。データ比較部２３６は、例えば、測定データが第１閾値以上第２閾値以下であるか否かを判定する。データ比較部２３６は、測定データが第１閾値以上第２閾値以下であれば、異常はない（メンテナンス不要）と判定する。データ比較部２３６は、測定データが第１閾値を下回るか、第２閾値を上回ると、異常が発生している可能性がある（メンテナンス必要）と判定する。
【００３２】
ここでは、データ比較部２３６は、例えば、最新の測定データに対し、最新の測定データと同じ日付の昨年度以前の測定データから生成された比較データを比較している。ただし、比較データの生成元となる測定データは、測定値の周期性などによって適宜変更されてもよい。例えば、測定データが１時間ごとに生成され、その測定値が２４時間周期で大凡同じパターンを繰り返す場合、比較データは、最新の測定データと同時間帯の前日以前の測定データから生成される。
【００３３】
出力部２３８は、データ比較部２３６の比較結果を解析処理の結果として出力する。例えば、ユーザ端末がブラウザによってインターネット上の所定のＵＲＬにアクセスすると、出力部２３８は、比較結果（例えば、図３に示すグラフ）のデータ（ブラウザ表示形式）をユーザ端末に送信する。ユーザ端末のブラウザには、受信したデータから比較結果が表示される。ユーザは、ブラウザに表示された比較結果によって、データ比較部２３６の比較結果（異常がない、異常発生の可能性がある、メンテナンスの要否）を把握することができる。すなわち、比較結果には、設備１３２のメンテナンスの要否、または、設備１３２の異常の（可能性の）有無を示す情報が含まれる。
【００３４】
また、ユーザ端末のブラウザが、インターネット上の所定のＵＲＬにアクセスすると、ページ上にリンクが表示される。このリンクが選択（クリック）されると、出力部２３８は、比較結果のデータ（表計算ソフト形式）をユーザ端末に送信する。ユーザ端末の表計算ソフトでは、受信したデータから比較結果が表示可能となる。例えば、ユーザによって予めテンプレートが指定されていれば、テンプレート内に測定データが書き込まれることで、ユーザの要求に合った表示形式や集計方法での出力が可能となる。
【００３５】
ここでは、ブラウザおよび表計算ソフトの双方によって、データ比較部２３６の比較結果が表示される場合について説明した。ただし、ブラウザおよび表計算ソフトの一方のみによって、データ比較部２３６の比較結果が表示されてもよい。ブラウザによって比較結果が表示される場合、例えば、ブラウザ上で動作するスクリプト言語のプログラムなどによって、所定周期ごとに図３に示すグラフが最新のものに更新されてもよい。この場合、一旦、ブラウザで比較結果を表示させれば、自動的に比較結果が更新されるため、ユーザによる比較結果の確認作業の負担を軽減することができる。
【００３６】
また、測定データが第１閾値を下回るか、第２閾値を上回り、異常が発生している可能性がある（メンテナンスが必要）と判定されている場合、出力部２３８は、図３に示すグラフに加えて、異常の発生の可能性がある（メンテナンスが必要である）旨を文字情報などで報知してもよい。
【００３７】
上述したように、クライアント分類情報によって分類されたクライアントグループの同種の施設１３０ごとに、過去の測定データをまとめて、比較データが生成される。そのため、例えば、クライアントを跨いで業種ごとの適正値が比較データとして設定可能となり、比較データが適切な値となり得る。また、対象の施設１３０の過去の測定データがなくとも、同業種の他のクライアントの過去の測定データから比較データが生成可能である。
【００３８】
図４は、設備管理処理の流れを示すフローチャートである。図４に示す処理は、例えば、所定周期で繰り返し実行される。
【００３９】
（Ｓ３００）
通信制御部２３０は、ネットワーク１４０を介して中継装置１２０から定期的に送信された測定データが通信部２１０に書き込まれているか（受信されているか）否かを判定する。測定データが受信されていれば、Ｓ３０２に処理を移し、測定データが受信されていなければ、Ｓ３０４に処理を移す。
【００４０】
（Ｓ３０２）
通信制御部２３０は、通信部２１０に書き込まれた測定データを取り込む（取得する）。
【００４１】
（Ｓ３０４）
比較生成部２３４は、ユーザ端末からの比較結果の出力要求（例えば、ブラウザ表示形式や表計算ソフト形式のデータのダウンロード要求）があるか否かを判定する。出力要求があれば、Ｓ３０６に処理を移す。出力要求がなければ、当該設備管理処理を終了する。
【００４２】
（Ｓ３０６）
比較生成部２３４は、出力要求に応じて、対象のクライアントと同じクライアントグループの同種の設備１３２における過去の測定データから比較データを生成する。ここでは、比較結果の出力要求に応じて、比較生成部２３４が比較データを生成する場合について説明した。ただし、比較生成部２３４は、測定データが取得されると、対応する比較データを生成して記憶部２１２に記憶させてもよい。この場合、データ比較部２３６による比較結果も記憶部２１２に記憶させておき、比較結果の出力要求に応じて、出力部２３８が記憶部２１２から比較結果を読み出してもよい。
【００４３】
（Ｓ３０８）
データ比較部２３６は、最新の測定データと、比較データとを比較する。
【００４４】
（Ｓ３１０）
出力部２３８は、ユーザ端末からの比較結果の出力要求に応じた形式で、最新の測定データと、比較データとの比較結果のデータを、ユーザ端末に出力する。
【００４５】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４６】
例えば、コンピュータを、上記の実施形態の設備管理システム１００、または、サーバ２００として機能させるプログラムや、当該プログラムを記録した、コンピュータで読み取り可能なフレキシブルディスク、光磁気ディスク、ＲＯＭ、ＣＤ、ＤＶＤ、ＢＤ等の記憶媒体も提供される。ここで、プログラムは、任意の言語や記述方法にて記述されたデータ処理手段をいう。
【００４７】
また、上述した実施形態では、比較生成部２３４は、設備分類情報によって分類された複数の設備１３２ごとに、過去の測定データをまとめて、比較データを生成する場合について説明した。ただし、設備分類情報による設備１３２（測定データ）の分類は、必須構成ではない。例えば、対象となる設備１３２の種類が１つであれば、設備分類情報による設備１３２の分類は不要となる。
【産業上の利用可能性】
【００４８】
本発明は、ネットワークを介してセンサの測定データを取得する設備管理装置、設備管理方法、および、プログラムに利用することができる。
【符号の説明】
【００４９】
１１０  センサ
１３２  設備
１４０  ネットワーク
２００  サーバ（設備管理装置）
２３０  通信制御部（取得部）
２３４  比較生成部
２３６  データ比較部
２３８  出力部
【図１】
2019067262.tif 000003
【図２】
2019067262.tif 000004
【図３】
2019067262.tif 000005
【図４】
2019067262.tif 000006